(57)【要約】【課題】  本発明は誰でもが容易で簡単に、どんな被転写物にでも転写することができる転写方法および転写用粘着剤を得るにある。【解決手段】  シートの剥離剤層上にコピーあるいはプリントによって転写用の模様等が形成された転写シートの転写用の模様等の上面にアクリル系、酢酸ビニール系等の水溶性あるいはアルコール溶性で、転写用の模様等の上面部位に剥離紙の上で移動位置する転写用粘着剤を塗布する転写用粘着剤塗布工程と、この転写用粘着剤塗布工程後に転写用粘着剤が塗布された部分を転写される被転写物に押し付け粘着固定させた後シートを除去する転写工程とで転写方法を構成している。【選択図】  図２
2004216860.tif 000002
【特許請求の範囲】
【請求項１】
シートの剥離剤層上にコピーあるいはプリントによって転写用の模様等が形成された転写シートの転写用の模様等の上面にホットメルト接着剤あるいはアクリル系、酢酸ビニール系、クロロプレンゴム系、ウレタン樹脂系、塩化ビニール系、シリコンゴム系等の水溶性あるいはアルコール溶性で、該転写用の模様等の上面部位に表面張力で移動位置する転写用粘着剤を塗布する転写用粘着剤塗布工程と、この転写用粘着剤塗布工程後に転写用粘着剤が塗布された部分を、転写される被転写物に押し付けあるいは押し付けながら熱を加えて粘着固定させた後、シートを除去する作業を少なくとも１回以上行う重ね転写等の転写工程とを含むことを特徴とする転写方法。
【請求項２】
シートの剥離剤層上にコピーあるいはプリントによって転写用の模様等が形成された転写シートの転写用の模様等の上面に絵の具で着色されたホットメルト接着剤あるいはアクリル系、酢酸ビニール系、クロロプレンゴム系、ウレタン樹脂系、塩化ビニール系、シリコンゴム系等の水溶性あるいはアルコール溶性で、該転写用の模様等の上面部位に表面張力で移動位置する絵の具で着色された転写用粘着剤を塗布する転写用粘着剤塗布工程と、この転写用粘着剤塗布工程後に転写用粘着剤が塗布された部分を、転写される被転写物に押し付けあるいは押し付けながら熱を加えて粘着固定させた後、シートを除去する作業を少なくとも１回以上行う重ね転写等の転写工程とを含むことを特徴とする転写方法。
【請求項３】
重ね転写等の転写工程後に透明あるいは着色されたコート液をすくなくとも１層以上形成するコート層形成工程を行うことを特徴とする請求項１、２いずれかに記載の転写方法。
【請求項４】
転写シートは剥離剤層となる剥離剤シートをコピーあるいはプリントできるようにシートに貼り合わせたコピーあるいはプリントシートと、このコピーあるいはプリントシートの剥離剤シートにコピーあるいはプリントされた転写用の模様等とで構成されていることを特徴とする請求項１、２、３いずれかに記載の転写方法。
【請求項５】
アクリル系、酢酸ビニール系、クロロプレンゴム系、ウレタン樹脂系、塩化ビニール系、シリコンゴム系等の水溶性あるいはアルコール溶性で剥離紙の上で位置移動できる、絵の具で着色することができることを特徴とする転写用粘着剤。
【請求項６】
シートの剥離剤層上にコピーあるいはプリントによって転写用の模様等が形成された転写シートの転写用の模様等の上面あるいは被転写物の転写面に柔軟性と着色性を有するアクリル系、酢酸ビニール系、クロロプレンゴム系、ウレタン樹脂系、塩化ビニール系、シリコンゴム系等の転写用粘着剤を塗布する転写用粘着剤塗布工程と、この転写用粘着剤塗布工程後に転写用粘着剤が塗布された部分を、転写される被転写物に押し付けあるいは被転写物の転写面の転写用粘着剤が塗布された部位に転写シートの転写用の模様等押し付け粘着固定させた後、シートを除去する作業を少なくとも１回以上行う重ね転写等の転写工程とを含むことを特徴とする転写方法。
【発明の詳細な説明】
【技術分野】
【０００１】
本発明は転写方法および転写用粘着剤に関する。
【背景技術】
【０００２】
従来、本願発明者によって、コピーやプリンターによって転写シートを作成する方法が提案されているが、該転写シートはアイロンを用いて加熱押し圧によって転写しなければならない。
【０００３】
従来のコピーやプリンターによって作成された転写シートはアイロンを用いて転写するため、転写する被転写物が限定されるとともに、アイロンが使用できない子供には使用できないという欠点があった。
【特許文献１】特開昭６２−３２０８９号公報
【発明の開示】
【発明が解決しようとする課題】
【０００４】
本発明は以上のような従来の欠点に鑑み、誰でもが容易で簡単に、どんな被転写物にでも転写することができる転写方法および転写用粘着剤を提供することを目的としている。
また、本発明は転写用の模様等の裏打ちや台紙効果が得られる転写方法および転写用粘着剤を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はシートの剥離剤層上にコピーあるいはプリントによって転写用の模様等が形成された転写シートの転写用の模様等の上面にアクリル系、酢酸ビニール系、クロロプレンゴム系、ウレタン樹脂系、塩化ビニール系、シリコンゴム系等の水溶性あるいはアルコール溶性で、該転写用の模様等の上面部位に表面張力で移動位置する転写用粘着剤を塗布する転写用粘着剤塗布工程と、この転写用粘着剤塗布工程後に転写用粘着剤が塗布された部分を、転写される被転写物に押し付け、粘着固定させた後、シートを除去する転写工程とで転写方法を構成している。
【０００７】
また、本発明はアクリル系、酢酸ビニール系、クロロプレンゴム系、ウレタン樹脂系、塩化ビニール系、シリコンゴム系等の水溶性あるいはアルコール溶性で表面張力が水より大きく、絵の具で着色することができるように転写用粘着剤を構成している。
【発明の効果】
【０００８】
以上の説明から明らかなように、本発明にあっては次に列挙する効果が得られる。
【０００９】
（１）シートの剥離剤層上にコピーあるいはプリントによって転写用の模様等が形成された転写シートの転写用の模様等の上面にホットメルト接着剤あるいはアクリル系、酢酸ビニール系、クロロプレンゴム系、ウレタン樹脂系、塩化ビニール系、シリコンゴム系等の水溶性あるいはアルコール溶性で、該転写用の模様等の上面部位に位置移動できる転写用粘着剤を塗布する転写用粘着剤塗布工程と、この転写用粘着剤塗布工程後に転写用粘着剤が塗布された部分を、転写される被転写物に押し付け、あるいは押し付けながら熱を加えて粘着固定させた後、シートを除去する作業を少なくとも１回以上行う重ね転写等の転写工程とからなるので、転写用粘着剤の塗布作業で転写用の模様等の部分だけを転写することができるので、誰でもが容易で、簡単に転写作業を行なうことができる。
したがって、転写を誰でもが気軽に楽しむことができる。
【００１０】
（２）前記（１）によって、転写用粘着剤の粘着力によって、転写する被転写物の材質や形状が限定されず、どんな物にでも転写することができる。
【００１１】
（３）前記（１）によって、転写用粘着剤によって転写シートの転写用模様等の上部に塗布した場合、転写用模様等の上部以外に付着した転写用粘着剤を、表面張力等によって転写用模様等の上部にスムーズにスライド移動させることができる。
したがって、転写用模様等からはみ出る転写用粘着剤を著しく低減でき、きれいに転写することができる。
【００１２】
（４）前記（１）によって、転写工程で重ね転写することにより、立体的な転写絵を作成することができる。
【００１３】
（５）請求項２も前記（１）〜（４）と同様な効果が得られるとともに、絵の具で着色した転写用粘着剤によって、裏打ち、台紙効果が得られる。
【００１４】
（６）請求項３は前記（１）〜（４）と同様な効果が得られるとともに、転写絵をコート層で覆うことができ、転写絵の変色や損傷を効率良く防止することができる。
【００１５】
（５）請求項４、５、６も前記（１）〜（４）と同様な効果が得られる。
【発明を実施するための最良の形態】
【００１６】
以下、図面に示す本発明を実施するための最良の形態により、本発明を詳細に説明する。
【００１７】
図１ないし図５に示す本発明を実施するための最良の第１の形態において、１はコピーあるいはプリントによって形成された転写シート２の転写用の模様等３の上面に転写用粘着剤４を筆５等で塗布する転写用粘着剤塗布工程で、この転写用粘着剤塗布工程１で使用される転写シート２は、図３および図４に示すようにシート６に剥離剤７を塗布あるいは付着させて剥離剤層８を形成したコピーあるいはプリントシート９と、このコピーあるいはプリントシート９の剥離剤層８の上面に樹脂トナーを用いたコピーあるいはプリントされた文字、絵等の転写用の模様等３とで構成されたものが使用される。
【００１８】
また、前記転写用粘着剤４はホットメルト接着剤あるいはアクリル系、酢酸ビニール系、クロロプレンゴム系、ウレタン樹脂系、塩化ビニール系、シリコンゴム系等の水溶性あるいはアルコール溶性で転写用の模様等３の上面部位に、表面張力で剥離剤層８上を移動できるように水の表面張力よりも大きい表面張力を有するものが使用されている。
このため、転写シート２の転写用の模様等３の上面に転写用粘着剤４を塗布することにより、該転写用の模様等３以外の剥離剤層８上に付着した転写用粘着剤４は、該転写用粘着剤４の表面張力と剥離剤層８の上面の滑りとによって、転写用の模様等３の上面へスムーズに移動し、転写用の模様等３以外の部位への付着を効率よく阻止することができる。
【００１９】
１０は前記転写用粘着剤塗布工程１後に、転写用粘着剤４が塗布された部分を転写される布地、シート、コップ、容器等の被転写物１１に押し付け、あるいは押し付けながら熱を加えて粘着固定させた後、転写シート２のシート６を除去する作業を少なくとも１回以上行う重ね転写等の転写工程で、この転写工程１０は本発明の実施の形態では１回行うが、転写用粘着剤４が粘着固定できる部分であれば、平面は勿論、曲面部分にも転写することができる。
【００２０】
上記の転写方法は転写用粘着剤４を用いているだけであるので、誰でもが容易に転写することができるとともに、被転写物の材質や形状によって転写できないものは限られ、ほとんどどんな物にでも転写でき、転写の範囲を拡大させることができる。
｛発明を実施するための異なる形態｝
【００２１】
次に、図６ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図６ないし図８に示す本発明を実施するための第２の形態において、前記本発明を実施をするための最良の第１の形態と主に異なる点は、剥離剤層８となる剥離剤シート１２をコピーあるいはプリントできるようにシート６に貼り合わせたコピーあるいはプリントシート９Ａと、このコピーあるいはプリントシート９Ａの剥離剤シート１２にコピーあるいはプリントされた転写用の模様等３とで構成した転写シート２Ａを用いて転写用粘着剤塗布工程１Ａを行なった点で、このような転写用粘着剤塗布工程１Ａを用いた転写方法を行なっても、前記本発明を実施をするための最良の第１の形態と同様な作用効果が得られる。
【００２３】
図９ないし図１１に示す本発明を実施するための第３の形態において、前記本発明を実施をするための最良の第１の形態と主に異なる点は、アクリル系、酢酸ビニール系、クロロプレンゴム系、ウレタン樹脂系、塩化ビニール系、シリコンゴム系等の水溶性あるいはアルコール溶性で絵の具１３で着色できる転写用粘着剤４Ａを用いて転写用粘着剤塗布工程１Ｂを行なった点で、このような転写用粘着剤塗布工程１Ｂを用いた転写方法を行なっても、前記本発明を実施をするための最良の第１の形態と同様な作用効果が得られるとともに、絵の具１３で転写用粘着剤４Ａを着色することにより、転写用粘着剤４Ａの塗布によって形成された転写用粘着剤層が裏打ち、台紙効果が得られる。
特に、コピーあるいはプリントで形成された転写シート２Ａの転写用の模様等３には白色が存在しないが、白色の着色を転写用粘着剤４Ａにすることにより、転写シート２Ａの不具合を解消することができる。
【００２４】
図１２ないし図１４に示す本発明を実施するための第４の形態において、前記本発明を実施するための第２の形態と主に異なる点は転写シート２の転写用の模様等３の上面あるいは被転写物１１の転写面に柔軟性と絵の具１３で着色できる着色性を有するアクリル系、酢酸ビニール系、クロロプレンゴム系、ウレタン樹脂系、塩化ビニール系、シリコンゴム系等の転写用粘着剤４Ｂを塗布する転写用粘着剤塗布工程１Ｃと、この転写用粘着剤塗布工程１Ｃ後に転写用粘着剤４Ｂが塗布された部分を、転写される被転写物１１に押し付けあるいは被転写物１１の転写面の転写用粘着剤４Ｂが塗布された部位に転写シート２の転写用の模様等３を押し付け粘着固定させた後、シートを除去する転写工程１０Ａを行った点で、このような転写用粘着剤塗布工程１Ｃを用いた転写方法を行なっても、前記本発明を実施をするための第２の形態と同様な作用効果が得られる。
【００２５】
図１５ないし図１７に示す本発明を実施するための第５の形態において、前記本発明を実施をするための最良の第１の形態と主に異なる点は、転写用粘着剤塗布工程１後に、転写用粘着剤４が塗布された部分を転写される布地、シート、コップ、容器等の被転写物１１に押し付け、あるいは押し付けながら熱を加えて粘着固定させた後、転写シート２のシート６を除去する作業を離れた位置あるいは一部が重ね合わせ状態になるように２回以上行う重ね転写等の転写工程１０Ｂと、この重ね転写等の転写工程１０Ｂ後に、転写絵１４の上面に透明あるいは着色されたマニキュアのトップコート等の即乾性のコート液１５をすくなくとも１層以上形成するコート層形成工程１６とを用いた転写方法を行なつた点で、このような工程を用いて転写方法を行なつても、前記本発明を実施をするための最良の第１の形態と同様な作用効果が得られるとともに、立体的な転写絵１４が得られ、かつ該立体的な転写絵１４の上面はコート層で覆われるため、変色したり、損傷したりするのを確実に防止することができる。
なお、転写用の模様等３の色に応じた着色のコート液１５を絵を描く要領で塗布することにより、より綺麗な転写絵１４を作成することができる。
【００２６】
前記本発明を実施するための第１〜第４の形態でも重ね転写等の転写工程１０Ｂやコート層形成工程１６を使用しても良い。
【産業上の利用可能性】
【００２７】
本発明は転写絵を教授する教育産業や転写用粘着剤の製造する産業で利用される。
【図面の簡単な説明】
【００２８】
【図１】本発明を実施するための最良の第１の形態の工程図。
【図２】本発明を実施するための最良の第１の形態の転写用粘着剤塗布工程の説明図。
【図３】本発明を実施するための最良の第１の形態の転写シートの平面図。
【図４】図３の４−４線に沿う断面図。
【図５】本発明を実施するための最良の第１の形態の転写工程の説明図。
【図６】本発明を実施するための第２の形態の工程図。
【図７】本発明を実施するための第２の形態の転写用粘着剤塗布工程の説明図。
【図８】本発明を実施するための第２の形態の転写シートの説明図。
【図９】本発明を実施するための第３の形態の工程図。
【図１０】本発明を実施するための第３の形態の転写用粘着剤塗布工程の説明図。
【図１１】本発明を実施するための第３の形態の転写工程の説明図。
【図１２】本発明を実施するための第４の形態の工程図。
【図１３】本発明を実施するための第４の形態の転写用粘着剤塗布工程の説明図。
【図１４】本発明を実施するための第４の形態の転写工程の説明図。
【図１５】本発明を実施するための第５の形態の工程図。
【図１６】本発明を実施するための第５の形態の転写工程の説明図。
【図１７】本発明を実施するための第５の形態の形態のコート層形成工程の説明図。
【符号の説明】
【００２９】
１、１Ａ、１Ｂ、１Ｃ：転写用粘着剤塗布工程、
２、２Ａ：転写シート、  ３：転写用の模様等、
４、４Ａ、４Ｂ：転写用粘着剤、
５：筆、               
６：シート、
７：剥離剤、            ８：剥離剤層、
９、９Ａ：コピーあるいはプリントシート、
１０、１０Ａ、１０Ｂ：転写工程、
１１：被転写物、        １２：剥離剤シート、
１３：絵の具、          １４：転写絵、
１５：コート液、        １６：コート層形成工程。
【図１】
2004216860.tif 000003
【図２】
2004216860.tif 000004
【図３】
2004216860.tif 000005
【図４】
2004216860.tif 000006
【図５】
2004216860.tif 000007
【図６】
2004216860.tif 000008
【図７】
2004216860.tif 000009
【図８】
2004216860.tif 000010
【図９】
2004216860.tif 000011
【図１０】
2004216860.tif 000012
【図１１】
2004216860.tif 000013
【図１２】
2004216860.tif 000014
【図１３】
2004216860.tif 000015
【図１４】
2004216860.tif 000016
【図１５】
2004216860.tif 000017
【図１６】
2004216860.tif 000018
【図１７】
2004216860.tif 000019